【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
無線通信デバイスによって三次元オーディオを送信する方法であって、
聴覚シーンをキャプチャすることと、
前記無線通信デバイスに配置された少なくとも２つのマイクロフォンの対を使用することに基づいて、前記聴覚シーンを、前記無線通信デバイスの１つ以上の角を表す、異なる方向を表す１つ以上のオーディオ信号に分解することと、
オーディオ信号パケットを生成するために、少なくとも１つのコーデックを使用して、前記少なくとも１つ以上のオーディオ信号を圧縮することと、
リアルタイムでオーバー・ザ・エアで前記オーディオ信号パケットを送信することと、
を備える、方法。
【請求項２】
前記無線通信デバイスの前記１つ以上の角は、前左方向、後左方向、前右方向、および後右方向を含む、請求項１に記載の方法。
【請求項３】
前記無線通信デバイスの前記１つ以上の角は、標準的なチャネルフォーマットのサラウンドサウンドシステムと関連付けられる、請求項２に記載の方法。
【請求項４】
前記オーディオ信号パケットは、呼中にトラフィックチャネルを通じてオーバー・ザ・エアで送信される、請求項１に記載の方法。
【請求項５】
前記少なくとも１つのコーデックは、スピーチコーデックである、請求項１に記載の方法。
【請求項６】
前記聴覚シーンを前記分解することは、前記少なくとも２つのマイクロフォンの対における１つのマイクロフォンの対から第１のビームを形成することと、前記少なくとも２つのマイクロフォンの対における第２のマイクロフォンの対から第２のビームを形成することとを含む、請求項１に記載の方法。
【請求項７】
前記第１のビームおよび第２のビームは、前記無線通信デバイスの前記１つ以上の角のうちの少なくとも１つの角を表す方向と関連付けられたオーディオ信号を増幅するために組み合される、請求項６に記載の方法。
【請求項８】
前記第１のビームおよび第２のビームは、前記無線通信デバイスの前記１つ以上の角のうちの少なくとも１つの角を表す方向と関連付けられたオーディオ信号を減衰するために組み合されたヌルビームである、請求項６に記載の方法。
【請求項９】
三次元オーディオを送信するように構成された無線通信デバイスであって、
聴覚シーンをキャプチャすることと、
前記無線通信デバイスに配置された少なくとも２つのマイクロフォンの対を使用することに基づいて、前記聴覚シーンを、前記無線通信デバイスの１つ以上の角を表す、異なる方向を表す１つ以上のオーディオ信号に分解することと、
オーディオ信号パケットを生成するために、少なくとも１つのコーデックを使用して、前記少なくとも１つ以上のオーディオ信号を圧縮することと、
リアルタイムでオーバー・ザ・エアで前記オーディオ信号パケットを送信することと、
を行うように構成された１つ以上のプロセッサを備える、無線通信デバイス。
【請求項１０】
前記無線通信デバイスの前記１つ以上の角は、前左方向、後左方向、前右方向、および後右方向を含む、請求項９に記載の無線通信デバイス。
【請求項１１】
前記無線通信デバイスの前記１つ以上の角は、標準的なチャネルフォーマットのサラウンドサウンドシステムと関連付けられる、請求項１０に記載の無線通信デバイス。
【請求項１２】
前記オーディオ信号パケットは、呼中にトラフィックチャネルを通じてオーバー・ザ・エアで送信される、請求項９に記載の無線通信デバイス。
【請求項１３】
前記少なくとも１つのコーデックは、スピーチコーデックである、請求項９に記載の無線通信デバイス。
【請求項１４】
前記聴覚シーンを前記分解することは、前記少なくとも２つのマイクロフォンの対における１つのマイクロフォンの対から第１のビームを形成することと、前記少なくとも２つのマイクロフォンの対における第２のマイクロフォンの対から第２のビームを形成することとを含む、請求項９に記載の無線通信デバイス。
【請求項１５】
前記第１のビームおよび第２のビームは、前記無線通信デバイスの前記１つ以上の角のうちの少なくとも１つの角を表す方向と関連付けられたオーディオ信号を増幅するために組み合される、請求項１４に記載の無線通信デバイス。
【請求項１６】
前記第１のビームおよび第２のビームは、前記無線通信デバイスの前記１つ以上の角のうちの少なくとも１つの角を表す方向と関連付けられたオーディオ信号を減衰するために組み合されたヌルビームである、請求項１４に記載の無線通信デバイス。
【請求項１７】
三次元オーディオを送信するように構成された装置であって、
聴覚シーンをキャプチャするための手段と、
前記無線通信デバイスに配置された少なくとも２つのマイクロフォンの対を使用することに基づいて、前記聴覚シーンを、無線通信デバイスの１つ以上の角を表す、異なる方向を表す１つ以上のオーディオ信号に分解するための手段と、
オーディオ信号パケットを生成するために、少なくとも１つのコーデックを使用して、前記少なくとも１つ以上のオーディオ信号を圧縮するための手段と、
リアルタイムでオーバー・ザ・エアで前記オーディオ信号パケットを送信するための手段と、
を備える、装置。
【請求項１８】
前記無線通信デバイスの前記１つ以上の角は、前左方向、後左方向、前右方向、および後右方向を含む、請求項１７に記載の装置。
【請求項１９】
前記無線通信デバイスの前記１つ以上の角は、標準的なチャネルフォーマットのサラウンドサウンドシステムと関連付けられる、請求項１８に記載の装置。
【請求項２０】
前記オーディオ信号パケットは、呼中にトラフィックチャネルを通じてオーバー・ザ・エアで送信される、請求項１７に記載の装置。
【請求項２１】
前記少なくとも１つのコーデックは、スピーチコーデックである、請求項１７に記載の装置。
【請求項２２】
前記聴覚シーンを前記分解することは、前記少なくとも２つのマイクロフォンの対における１つのマイクロフォンの対から第１のビームを形成することと、前記少なくとも２つのマイクロフォンの対における第２のマイクロフォンの対から第２のビームを形成することとを含む、請求項１７に記載の装置。
【請求項２３】
前記第１のビームおよび第２のビームは、前記無線通信デバイスの前記１つ以上の角のうちの少なくとも１つの角を表す方向と関連付けられたオーディオ信号を増幅するために組み合される、請求項２２に記載の装置。
【請求項２４】
前記第１のビームおよび第２のビームは、前記無線通信デバイスの前記１つ以上の角のうちの少なくとも１つの角を表す方向と関連付けられたオーディオ信号を減衰するために組み合されたヌルビームである、請求項２２に記載の装置。
【請求項２５】
無線通信デバイスによる三次元オーディオの送信を容易にするように構成された非一時的な有形のコンピュータによって読み取り可能な媒体であって、前記コンピュータによって読み取り可能な媒体は、命令を有し、前記命令は、
前記無線通信デバイスに、聴覚シーンをキャプチャさせるためのコードと、
前記無線通信デバイスに、前記無線通信デバイスに配置された少なくとも２つのマイクロフォンの対を使用することに基づいて、前記聴覚シーンを、前記無線通信デバイスの１つ以上の角を表す、異なる方向を表す１つ以上のオーディオ信号に分解させるためのコードと、
前記無線通信デバイスに、オーディオ信号パケットを生成するために、少なくとも１つのコーデックを使用して、前記少なくとも１つ以上のオーディオ信号を圧縮させるためのコードと、
前記無線通信デバイスに、リアルタイムでオーバー・ザ・エアで前記オーディオ信号パケットを送信させるためのコードと、
を備える、コンピュータによって読み取り可能な媒体。
【請求項２６】
前記無線通信デバイスの前記１つ以上の角は、前左方向、後左方向、前右方向、および後右方向を含む、請求項２５に記載のコンピュータによって読み取り可能な媒体。
【請求項２７】
前記無線通信デバイスの前記１つ以上の角は、標準的なチャネルフォーマットのサラウンドサウンドシステムと関連付けられる、請求項２６に記載のコンピュータによって読み取り可能な媒体。
【請求項２８】
前記オーディオ信号パケットは、呼中にトラフィックチャネルを通じてオーバー・ザ・エアで送信される、請求項２５に記載のコンピュータによって読み取り可能な媒体。
【請求項２９】
前記少なくとも１つのコーデックは、スピーチコーデックである、請求項２５に記載のコンピュータによって読み取り可能な媒体。
【請求項３０】
前記聴覚シーンを前記分解することは、前記少なくとも２つのマイクロフォンの対における１つのマイクロフォンの対から第１のビームを形成することと、前記少なくとも２つのマイクロフォンの対における第２のマイクロフォンの対から第２のビームを形成することとを含む、請求項２５に記載のコンピュータによって読み取り可能な媒体。
【請求項３１】
前記第１のビームおよび第２のビームは、前記無線通信デバイスの前記１つ以上の角のうちの少なくとも１つの角を表す方向と関連付けられたオーディオ信号を増幅するために組み合される、請求項３０に記載のコンピュータによって読み取り可能な媒体。
【請求項３２】
前記第１のビームおよび第２のビームは、前記無線通信デバイスの前記１つ以上の角のうちの少なくとも１つの角を表す方向と関連付けられたオーディオ信号を減衰するために組み合されたヌルビームである、請求項３０に記載のコンピュータによって読み取り可能な媒体。